(57)【要約】【課題】      本発明は、多数のユーザに計測装置が個別に割り当てられる場合であっても解析及び通信の観点からコストを抑えることを可能とする健康管理システム等を提供することを目的とする。【解決手段】  特定環境におけるユーザの健康状態を計測して解析する健康管理システムであって、前記健康状態を計測する計測装置と、前記計測装置が計測した計測データを解析するサーバとを備え、前記計測装置は、前記サーバに前記計測データを送信するデータ送信部と、前記サーバのグローバルＩＰアドレスを記憶するサーバアドレス記憶部と、前記特定環境の通信ネットワークにログインするための情報を記憶するログイン情報記憶部とを有する、健康管理システムである。【選択図】  図１
2017194795.tif 000002
【特許請求の範囲】
【請求項１】
特定環境におけるユーザの健康状態を計測して解析する健康管理システムであって、
前記健康状態を計測する計測装置と、
前記計測装置が計測した計測データを解析するサーバとを備え、
前記計測装置は、
前記サーバに前記計測データを送信するデータ送信部と、
前記サーバのグローバルＩＰアドレスを記憶するサーバアドレス記憶部と、
前記特定環境の通信ネットワークにログインするための情報を記憶するログイン情報記憶部とを有する、健康管理システム。
【請求項２】
当該健康管理システムは、複数の前記ユーザの睡眠時における健康状態を計測して解析するものであり、
前記計測装置として、第１計測装置及び第２計測装置を備え、
前記サーバは、
前記第１計測装置が計測した第１計測データを解析する第１解析部と、
前記第２計測装置が計測した第２計測データを解析する第２解析部とを有し、
前記第１解析部は、前記第２計測データを解析せず、
前記第２解析部は、前記第１計測データを解析しない、請求項１記載の健康管理システム。
【請求項３】
前記第１計測装置は、
前記データ送信部として第１データ送信部を有し、
第１特定番号を記憶する第１特定番号記憶部をさらに有し、
前記第２計測装置は、
前記データ送信部として第２データ送信部を有し、
前記第１特定番号とは異なる第２特定番号を記憶する第２特定番号記憶部をさらに有し、
前記第１データ送信部は、前記サーバに対して前記第１計測データと共に前記第１特定番号を送信し、
前記第２データ送信部は、前記サーバに対して前記第２計測データと共に前記第２特定番号を送信し、
前記サーバは、前記第１特定番号及び前記第２特定番号を判別する特定番号判別部をさらに有し、
前記特定番号判別部は、判別結果に基づいて、前記サーバが受信した前記計測データを前記第１解析部又は前記第２解析部に振り分ける、請求項２記載の健康管理システム。
【請求項４】
前記サーバは、
前記ユーザの睡眠ステージを判定する睡眠ステージ判定部と、
前記ユーザの離床判定を行う離床判定部と、
前記ユーザの生体情報を解析する生体情報解析部とをさらに有し、
前記離床判定部は、前記睡眠ステージ判定部及び前記生体情報解析部よりも頻繁に処理を行う、請求項２又は３記載の健康管理システム。
【請求項５】
特定環境におけるユーザの健康状態を計測する健康状態計測装置であって、
前記健康状態を計測する計測部と、
計測データを解析するサーバに計測データを送信するデータ送信部と、
前記サーバのグローバルＩＰアドレスを記憶するサーバアドレス記憶部と、
前記特定環境の通信ネットワークにログインするための情報を記憶するログイン情報記憶部とを備える、健康状態計測装置。
【請求項６】
特定環境におけるユーザの健康状態を計測して解析する健康管理システムを用いた健康管理方法であって、
前記健康管理システムは、
前記健康状態を計測する計測装置と、
前記計測装置が計測した計測データを解析するサーバとを備え、
前記計測装置は、前記サーバに前記計測データを送信するデータ送信部を有し、
前記データ送信部は、
前記サーバのグローバルＩＰアドレスを記憶するサーバアドレス記憶部と、
前記特定環境の通信ネットワークにログインするための情報を記憶するログイン情報記憶部とを有し、
前記計測装置が、前記通信ネットワークを介して前記サーバに前記計測データを送信する送信ステップと、
前記サーバが、前記計測データを解析する解析ステップとを含む、健康管理方法。
【請求項７】
前記健康管理システムは、
複数の前記ユーザの睡眠時における健康状態を計測して解析するものであり、
前記計測装置として、第１計測装置及び第２計測装置を備え、
前記第１計測装置は、第１特定番号を記憶する第１特定番号記憶部を有し、
前記第２計測装置は、前記第１特定番号とは異なる第２特定番号を記憶する第２特定番号記憶部を有し、
前記サーバは、
前記第１計測装置が計測した第１計測データを解析する第１解析部と、
前記第２計測装置が計測した第２計測データを解析する第２解析部と、
前記第１特定番号及び前記第２特定番号を判別する特定番号判別部とを有し、
前記送信ステップにおいて、前記計測装置は、各計測装置に固有の特定番号を前記計測データと共に送信し、
前記送信ステップと前記解析ステップの間に、
前記特定番号判別部が、前記計測データと共に送信された前記特定番号を判別する特定番号判別ステップと、
前記特定番号判別部が、前記特定番号の判別結果に基づいて、前記計測データを前記第１解析部又は前記第２解析部に振り分ける、計測データ振分ステップとをさらに含む、請求項６記載の健康管理方法。
【請求項８】
コンピュータに請求項６又は７記載の健康管理方法を実行させるためのプログラム。
【請求項９】
請求項８に記載されたプログラムを記録したコンピュータ読み取り可能な記録媒体。
【発明の詳細な説明】
【技術分野】
【０００１】
本発明は、健康管理システム、健康状態計測装置、健康管理方法、プログラム及び記録媒体に関し、特に、特定環境におけるユーザの健康状態を計測して解析する健康管理システム等に関する。
【背景技術】
【０００２】
使用者の睡眠状態を体振動波形から判定する睡眠状態モニタリング装置２０１が知られている（特許文献１）。図９は、従来の睡眠状態モニタリング装置２０１の模式図である。図９を参照して、睡眠状態モニタリング装置１は、少なくともベッド２０３に配置される袋状の空気圧センサー２０５と、圧力を電気信号に変換するトランスデューサ部２０７と、電気信号をＡ／Ｄ変換するＡ／Ｄコンバータ２０９と、デジタル化された圧力は信号を解析するコンピュータ２１１とを備える。空気圧センサー２０５とトランスデューサ部２０７とは、圧力を伝播させることができるチューブ２１３で接続されている。トランスデューサ部２０７とＡ／Ｄコンバータ２０９、Ａ／Ｄコンバータ２０９とコンピュータ２１１とは、それぞれケーブルで接続されている。
【先行技術文献】
【特許文献】
【０００３】
【特許文献１】特開２０１１−１１５１８８号公報
【発明の概要】
【発明が解決しようとする課題】
【０００４】
しかしながら、特許文献１に記載された睡眠状態モニタリング装置２０１は、１人の被験者の睡眠状態を計測及び解析するものである。被験者ごとに解析のためのコンピュータを備えることを前提とするため、介護施設のようにユーザが多数の施設へ導入するには多大なコストを要する。
【０００５】
また、介護施設のようにユーザが多数の施設に健康管理システムを導入しようとする場合、計測データを解析サーバに送信するために、計測装置ごとに通信機器を必要としていた。そのため、通信に要するコストの点でも介護施設等への導入が難しかった。
【０００６】
そこで、本発明は、多数のユーザに計測装置が個別に割り当てられる場合であっても解析及び通信の観点からコストを抑えることを可能とする健康管理システム等を提供することを目的とする。
【課題を解決するための手段】
【０００７】
本発明の第１の観点は、特定環境におけるユーザの健康状態を計測して解析する健康管理システムであって、前記健康状態を計測する計測装置と、前記計測装置が計測した計測データを解析するサーバとを備え、前記計測装置は、前記サーバに前記計測データを送信するデータ送信部と、前記サーバのグローバルＩＰアドレスを記憶するサーバアドレス記憶部と、前記特定環境の通信ネットワークにログインするための情報を記憶するログイン情報記憶部とを有する、健康管理システムである。
【０００８】
本発明の第２の観点は、第１の観点の健康管理システムであって、当該健康管理システムは、複数の前記ユーザの睡眠時における健康状態を計測して解析するものであり、前記計測装置として、第１計測装置及び第２計測装置を備え、前記サーバは、前記第１計測装置が計測した第１計測データを解析する第１解析部と、前記第２計測装置が計測した第２計測データを解析する第２解析部とを有し、前記第１解析部は、前記第２計測データを解析せず、前記第２解析部は、前記第１計測データを解析しない。
【０００９】
本発明の第３の観点は、第２の観点の健康管理システムであって、前記第１計測装置は、前記データ送信部として第１データ送信部を有し、第１特定番号を記憶する第１特定番号記憶部をさらに有し、前記第２計測装置は、前記データ送信部として第２データ送信部を有し、前記第１特定番号とは異なる第２特定番号を記憶する第２特定番号記憶部をさらに有し、前記第１データ送信部は、前記サーバに対して前記第１計測データと共に前記第１特定番号を送信し、前記第２データ送信部は、前記サーバに対して前記第２計測データと共に前記第２特定番号を送信し、前記サーバは、前記第１特定番号及び前記第２特定番号を判別する特定番号判別部をさらに有し、前記特定番号判別部は、判別結果に基づいて、前記サーバが受信した前記計測データを前記第１解析部又は前記第２解析部に振り分ける。
【００１０】
本発明の第４の観点は、第２又は第３の観点の健康管理システムであって、前記サーバは、前記ユーザの睡眠ステージを判定する睡眠ステージ判定部と、前記ユーザの離床判定を行う離床判定部と、前記ユーザの生体情報を解析する生体情報解析部とをさらに有し、前記離床判定部は、前記睡眠ステージ判定部及び前記生体情報解析部よりも頻繁に処理を行う。
【００１１】
本発明の第５の観点は、特定環境におけるユーザの健康状態を計測する健康状態計測装置であって、前記健康状態を計測する計測部と、計測データを解析するサーバに計測データを送信するデータ送信部と、前記サーバのグローバルＩＰアドレスを記憶するサーバアドレス記憶部と、前記特定環境の通信ネットワークにログインするための情報を記憶するログイン情報記憶部とを備える、健康状態計測装置である。
【００１２】
本発明の第６の観点は、特定環境におけるユーザの健康状態を計測して解析する健康管理システムを用いた健康管理方法であって、前記健康管理システムは、前記健康状態を計測する計測装置と、前記計測装置が計測した計測データを解析するサーバとを備え、前記計測装置は、前記サーバに前記計測データを送信するデータ送信部を有し、前記データ送信部は、前記サーバのグローバルＩＰアドレスを記憶するサーバアドレス記憶部と、前記特定環境の通信ネットワークにログインするための情報を記憶するログイン情報記憶部とを有し、前記計測装置が、前記通信ネットワークを介して前記サーバに前記計測データを送信する送信ステップと、前記サーバが、前記計測データを解析する解析ステップとを含む、健康管理方法である。
【００１３】
本発明の第７の観点は、第６の観点の健康管理方法であって、前記健康管理システムは、複数の前記ユーザの睡眠時における健康状態を計測して解析するものであり、前記計測装置として、第１計測装置及び第２計測装置を備え、前記第１計測装置は、第１特定番号を記憶する第１特定番号記憶部を有し、前記第２計測装置は、前記第１特定番号とは異なる第２特定番号を記憶する第２特定番号記憶部を有し、前記サーバは、前記第１計測装置が計測した第１計測データを解析する第１解析部と、前記第２計測装置が計測した第２計測データを解析する第２解析部と、前記第１特定番号及び前記第２特定番号を判別する特定番号判別部とを有し、前記送信ステップにおいて、前記計測装置は、各計測装置に固有の特定番号を前記計測データと共に送信し、前記送信ステップと前記解析ステップの間に、前記特定番号判別部が、前記計測データと共に送信された前記特定番号を判別する特定番号判別ステップと、前記特定番号判別部が、前記特定番号の判別結果に基づいて、前記計測データを前記第１解析部又は前記第２解析部に振り分ける、計測データ振分ステップとをさらに含む。
【００１４】
本発明の第８の観点は、コンピュータに第６又は第７の観点の健康管理方法を実行させるためのプログラムである。
【００１５】
本発明の第９の観点は、第８の観点のプログラムを記録したコンピュータ読み取り可能な記録媒体である。
【発明の効果】
【００１６】
本発明の各観点によれば、計測装置が通信ネットワークを介して直接的に解析サーバにデータを送信する。そのため、計測装置ごとの通信機器が不要となり、多数のユーザに計測装置が個別に割り当てられる場合であっても解析及び通信の観点からコストを抑える健康管理システムを提供可能となる。
【００１７】
ここで、本発明に係る健康管理システムが睡眠時のユーザの健康状態を計測する場合、無自覚の不調をいち早く検出する必要から、計測装置が頻繁に計測する結果、サーバが多量のデータを迅速に処理することを要求される。そのため、サーバの解析負荷が大きくなる。計測対象のユーザが複数であればなおさらである。
【００１８】
そこで、本発明の第２及び第７の観点によれば、サーバは、計測装置ごとに解析部を割り当て可能となる。これにより、１つの解析部の負荷が分散されて、サーバ内の特定の解析部への解析負荷の集中を避けることが容易となる。
【００１９】
さらに、本発明の第３及び第７の観点によれば、サーバは、計測装置ごとに割り当てられた特定番号に基づいて計測データを処理する解析部に割り振る。そのため、解析負荷の集中を確実に避けることがさらに容易となる。
【００２０】
特に、本発明の第４の観点のように、サーバが、定期的かつ頻繁に、睡眠ステージ、在床／離床の別を判定すると共に、ユーザの生体情報を解析する場合、本発明の第２及び第３の観点のサーバの解析負荷の分散することの意義が大きいといえる。
【００２１】
さらに、脈拍や呼吸や心拍データや体動の正確性を保つために脈波関連信号、呼吸関連信号、心拍関連信号、体動関連信号は数分程度データをサーバに蓄積したうえで解析することが望ましい。他方、ユーザの徘徊に対応するためには、数分おきのデータ取得では間に合わないことが多い。
【００２２】
そこで、本発明の第４の観点によれば、離床関連信号をその他の信号よりも頻繁に送信することでユーザの徘徊を速やかに検知して対処することが可能となる。
【図面の簡単な説明】
【００２３】
【図１】本願発明の実施例に係る健康管理システム１の概要を示すブロック図である。
【図２】本実施例に係る計測装置５の回路構成の一例を示す図である。
【図３】本実施例に係る健康管理システム１における健康状態判定プロセスの一例を示すフロー図である。
【図４】本実施例に係る健康管理システム１における離床関連信号の処理プロセスの一例を示すフロー図である。
【図５】本実施例に係る健康管理システム１における脈波関連信号、呼吸関連信号及び心拍関連信号の処理プロセスの一例を示すフロー図である。
【図６】本実施例に係る健康管理システム１による判定結果を表示する管理者用一覧画面の一例を示す図である。
【図７】本実施例に係る健康管理システム１による判定結果を表示する管理者用個別画面の一例を示す図である。
【図８】本実施例に係る健康管理システム１による判定結果を表示する個人利用者用画面の一例を示す図である。
【図９】従来の睡眠状態モニタリング装置２０１の模式図である。
【発明を実施するための形態】
【００２４】
以下、図面を参照して、本願発明の実施例について述べる。なお、本願発明の実施の形態は、以下の実施例に限定されるものではない。
【実施例】
【００２５】
以下、図１を参照して、健康管理システム１（本願請求項の「健康管理システム」の一例である）の構成の概要を説明する。図１は、本願発明の実施例に係る健康管理システム１の概要を示すブロック図である。
【００２６】
健康管理システム１は、複数の介護施設３１、３２、・・・（本願請求項の「特定環境」の一例である）における被介護者（本願請求項の「ユーザ」の一例である）の健康状態を計測して解析するシステムである。なお、「介護施設３」のように介護施設を集合的に記載する場合に、添え字を省略する場合がある。以下同様とする。介護施設３１は、複数の計測装置５１１、５１２、・・・と、ルータ７１を有する。介護施設３２は、複数の計測装置５２１（本願請求項の「第１計測装置」の一例である）、計測装置５２２（本願請求項の「第２計測装置」の一例である）、・・・と、ルータ７２を有する。
【００２７】
健康管理システム１は、計測装置５（本願請求項の「計測装置」及び「健康状態計測装置」の一例である）と、ルータ７と、サーバ９（本願請求項の「サーバ」の一例である）と、管理者用電子端末１１と、利用者用電子端末１３とを備える。計測装置５は、被介護者の健康状態を計測する。ルータ７は、計測装置５とＬＡＮで接続されており、インターネットを介してサーバ９に接続されている。サーバ９は、計測装置５が計測した計測データを解析する。管理者用電子端末１１は、サーバの解析結果を管理者向けに表示する。利用者用電子端末１３は、サーバの解析結果を利用者向けに表示する。
【００２８】
ここで、管理者とは、介護施設５の管理者であって複数の被介護者の健康状態を把握する者とする。また、利用者とは、健康管理システム１の利用者であって、特定の被介護者の健康状態を把握したいとの要求を有する者とする。利用者の典型例は、介護施設に入居する被介護者の家族である。
【００２９】
介護施設３１の計測装置５１１は、計測部１５１１、計測制御部１７１１、計測通信部１９１１（本願請求項の「データ送信部」及び「第１データ送信部」の一例である）、サーバアドレス記憶部２１１１（本願請求項の「サーバアドレス記憶部」の一例である）、ログイン情報記憶部２３１１（本願請求項の「ログイン情報記憶部」の一例である）、計測データ記憶部２５１１、及び、特定番号記憶部２７１１（本願請求項の「第１特定番号記憶部」の一例である）を有する。介護施設３２の計測装置５１２は、計測部１５１２、計測制御部１７１２、計測通信部１９１２（本願請求項の「データ送信部」及び「第２データ送信部」の一例である）、サーバアドレス記憶部２１１２、ログイン情報記憶部２３１２、計測データ記憶部２５１２、及び、特定番号記憶部２７１２（本願請求項の「第２特定番号記憶部」の一例である）を有する。その他の計測装置も同様である。
【００３０】
計測部１５１１は、圧電センサーであって、ベッドに設置されて被介護者の健康状態に関する信号（本願請求項の「計測データ」の一例である）を検知する。計測制御部１７１１は、計測部１５１１を制御する。計測通信部１９１１は、計測装置５１１とサーバ９との通信を行う。サーバアドレス記憶部２１１１は、サーバ９のグローバルＩＰアドレスを記憶する。ログイン情報記憶部２３１１は、計測装置５１１が介護施設３１のＬＡＮに接続するためのログイン情報を記憶する。計測データ記憶部２５１１は、計測部１５１１が取得した計測データを記憶する。特定番号記憶部２７１１は、計測装置５１１に与えられた特定番号を記憶する。
【００３１】
サーバ９は、サーバ通信部４１と、特定番号判別部４３（本願請求項における「特定番号判別部」の一例）と、データ解析部４５１（本願請求項の「第１解析部」の一例である）、データ解析部４５２（本願請求項の「第２解析部」の一例である）、・・・と、対応情報記憶部５１と、計測データ記憶部５３と、解析結果記憶部５５とを備える。
【００３２】
サーバ通信部４１は、サーバ９と、計測装置５、管理者用電子端末１１及び利用者用電子端末１３との間で通信を行う。特定番号判別部４３は、計測データに付随する特定番号を判別する。データ解析部４５１、データ解析部４５２、・・・は、計測データを解析する。対応情報記憶部５１は、特定番号ごとにデータ解析部４５と解析結果を表示する電子端末とを結び付けて記憶する。計測データ記憶部５３は、計測装置５から受信した計測データを記憶する。解析結果記憶部５５は、データ解析部４５の解析結果を記憶する。
【００３３】
なお、本実施例では、介護施設ごとに異なる特定番号が割り振られたものとする。すなわち、介護施設３１の計測装置５１１と５２１は同じ特定番号（本願請求項における「第１特定番号」の一例）が割り振られており、計測装置５１２及び５２２の特定番号（本願請求項における「第２特定番号」の一例）とは異なる特定番号が割り振られている。また、管理者用電子端末１１は介護施設３１と、利用者用電子端末１３は計測装置５１１と、それぞれ結び付けられているとする。この特定番号は、後述するサーバの解析負荷軽減に用いられる。
【００３４】
データ解析部４５は、信号分離部４６と、睡眠ステージ判定部４８（本願請求項の「睡眠ステージ判定部」の一例である）と、離床判定部５０（本願請求項の「離床判定部」の一例である）と、生体情報解析部５２（本願請求項の「生体情報解析部」の一例である）と、健康状態判定部５４とを備える。信号分離部４６は、計測データを脈波動信号、呼吸動信号及び体動信号に分離する。睡眠ステージ判定部４８は、脈波動信号、呼吸動信号及び体動信号に基づいて、深い睡眠・浅い睡眠・レム睡眠の別を判定する。離床判定部５０は、脈波動信号、呼吸動信号及び体動信号に基づいて、在床・離床の別を判定する。生体情報解析部５２は、脈波動信号、呼吸動信号及び体動信号に基づいて、心拍数、呼吸数及び体動数を解析する。健康状態判定部５４は、睡眠ステージ判定部４８、離床判定部５０及び生体情報解析部５２の判定及び解析結果に基づいて、睡眠健康状態の判定を行う。
【００３５】
管理者用電子端末１１は、端末通信部７１と、表示部７３と、管理者表示制御部７５とを備える。端末通信部７１は、サーバ９との通信を行う。表示部７３は、データ解析部４５１の解析結果を表示する。管理者表示制御部７５は、表示部７３に表示される内容を制御する。
【００３６】
管理者表示制御部７５は、一覧表示制御部７７と、離床情報表示制御部７９と、離床理由表示制御部８１と、健康情報表示制御部８３とを備える。一覧表示制御部７７は、部屋ごとの概況や被介護者ごとの概況を表示部７３に表示させる。離床情報表示制御部７９は、被介護者の離床情報を表示部７３に表示させる。離床理由表示制御部８１は、被介護者が離床している場合の離床理由を表示部７３に表示させる。健康情報表示制御部８３は、被介護者の健康に関する情報を表示部７３に表示させる。
【００３７】
利用者用電子端末１３は、端末通信部８５と、表示部８７と、利用者表示制御部８９とを備える。端末通信部８５は、サーバ９との通信を行う。表示部８７は、データ解析部４５１の解析結果のうち計測装置５１１に関するものを表示する。利用者表示制御部８９は、表示部８７に表示される内容を制御する。
【００３８】
利用者表示制御部８９は、離床情報表示制御部９１と、コメント表示制御部９３と、健康情報表示制御部９５とを備える。離床情報表示制御部９１は、被介護者の離床情報を表示部８７に表示させる。コメント表示制御部８１は、被介護者の状況について管理者のコメントを表示部８７に表示させる。健康情報表示制御部９５は、被介護者の健康に関する情報を表示部８７に表示させる。
【００３９】
続いて、図２を参照して、計測装置５の回路構成について具体的に述べる。図２は、本実施例に係る計測装置５の回路構成の一例を示す図である。
【００４０】
計測装置５は、計測部１５として、シート状のピエゾ素子内蔵センサを備える。計測部は、例えば２２×１７１ｍｍの大きさである。計測部１５が、被介護者のベッドに設置され、被介護者の健康状態を示すデータを圧電データとして計測する。計測された圧電データは、ハイパスフィルタＨＰＦ、アンプＡＭＰ、ローパスフィルタＬＰＦ、アンプＡＭＰ、バッファＢＵＦを順に経てマイコン１５１に入力される。この情報は、後述のように複数の信号に分けられてそれぞれ記憶部に記憶される。
【００４１】
続いて、図３を参照して、健康管理システム１を用いた健康状態判定プロセスについて述べる。図３は、本実施例に係る健康管理システム１における健康状態判定プロセスの一例を示すフロー図である。
【００４２】
まず、ステップＳＴ００１において、計測部１５が、被介護者の信号を収集する。続いて、信号分離部４６が、収集した信号を分離する処理を行い（ステップＳＴ００２）、脈波動信号（ステップＳＴ００３）、呼吸動信号（ステップＳＴ００４）、及び、体動信号（ステップＳＴ００５）を生成する。これらの信号に基づいて、睡眠ステージ判定部４８が睡眠ステージ判定を行い（ステップＳＴ００６）、離床判定部５０が在床行動判定を行い（ステップＳＴ００７）、生体情報解析部５２が生体情報出力（ステップＳＴ００８）を行う。結果として、管理者表示制御部７５や利用者表示制御部８９は、それぞれ表示部７３や表示部８７を制御して、睡眠の深さ（ステップＳＴ００９）、離床の有無・入眠中か否かに関する情報（ステップＳＴ０１０）、心拍数・呼吸数・体動数（ステップＳＴ０１１）といった情報を表示させる。また、健康状態判定部５４は、ステップＳＴ００９〜ＳＴ０１１において表示させた情報に基づいて睡眠健康状態の判定を行う（ステップＳＴ０１２）。管理者表示制御部７５や利用者表示制御部８９は、それぞれ表示部７３や表示部８７を制御して、睡眠健康状態を表示させる。
【００４３】
以上が健康状態判定プロセスのフローの概要であるが、信号によって処理すべきスピードに差をつけるべき場合がある。例えば、脈拍、呼吸、心拍及び体動に関する信号は、正確な測定結果を得るために、数分程度データを計測装置５に保持しつつ、ある程度のデータ数が蓄積されてからサーバに送信すればよい。他方、離床に関する信号は、被介護者の徘徊に即時対応する必要から、より頻繁かつ迅速に処理する必要がある。
【００４４】
そこで、図４及び図５を参照して、健康管理システム１における各データの処理プロセスについて述べる。図４は、本実施例に係る健康管理システム１における離床関連信号の処理プロセスの一例を示すフロー図である。図５は、本実施例に係る健康管理システム１における脈波関連信号、呼吸関連信号及び心拍関連信号の処理プロセスの一例を示すフロー図である。
【００４５】
まず図４を参照して、計測装置５が、被介護者の信号を毎秒１２５回取得するとともに、制御部１７が信号分離処理を行う（ステップＳＴ１０１）。ステップＳＴ１０２において、時間Ｔ１が経過しているかの判定を行う。本実施例では、Ｔ１は１５秒とする。すなわち、約１８７５点の計測データに基づいて離床判定が行われる。時間Ｔ１が経過していれば、計測通信部１９は、ＬＡＮ経由で計測データ記憶部２５に記憶されている計測データ及び特定番号記憶部２７に記憶されている特定番号をルータ７に送信する（ステップＳＴ１０３）。ルータ７は、インターネット経由で介護施設３の計測データ及び特定番号をサーバ９に送信する（ステップＳＴ１０４）。ステップＳＴ１０３及びステップＳＴ１０４は、本願請求項における「送信ステップ」の一例である。特定番号判別部４３は、サーバ通信部４１が受信した計測データを、特定番号を判別し、判別結果に基づいて、対応するデータ解析部４５に振り分ける（ステップＳＴ１０５）。ステップＳＴ１０５は、本願請求項における「特定番号判別ステップ」及び「計測データ振分ステップ」の一例である。離床判定部５０は、計測データに基づいて離床判定を行い（ステップＳＴ１０６）、サーバ通信部４１が解析結果を各端末に送信する（ステップＳＴ１０７）。ステップＳＴ１０６は、本願請求項における「解析ステップ」の一例である。
【００４６】
続いて図５を参照して、図４との違いは、ＳＴ２０２において、ＳＴ１０２よりも長い時間Ｔ２が経過するまで待つ点である。本発明者らの研究によると、脈波・呼吸・心拍等の正確な解析のためには、１万５千点程度の計測データを要する。そのため、本実施例では、Ｔ２は２分とする。解析部４５は、離床判定に要するデータよりもはるかに多くの計測データに基づいて、脈波・呼吸・心拍・睡眠／覚醒等の解析を行う（ステップＳＴ２０６）。さらに、本発明者らの研究によると、睡眠クオリティ、呼吸イベント、ゆらぎ健康度の正確な分析のためには、９０万点程度の計測データを要する。そのため、睡眠クオリティ、呼吸イベント、ゆらぎ健康度については、時間Ｔ３が経過するのを待って（ステップＳＴ２０７）サーバ通信部４１が解析結果を各端末に送信する（ステップＳＴ２０８）。本実施例では、Ｔ３は、２時間とする。
【００４７】
ここで、「睡眠クオリティ」とは、眠りの質を定量化した指標である。「呼吸イベント」とは、睡眠中の呼吸状態を表す指標であり、１時間当たり無呼吸・低呼吸かつ大心拍変動の回数を指す。「ゆらぎ健康度」とは、一晩心拍ゆらぎ指数の平均値である。
【００４８】
このように、膨大な測定データの解析を行うため、サーバ９は、複数のデータ解析部４５１、４５２、・・・をＣＰＵごとに起動する。また、データ解析部４５１は、介護施設３１からの計測データ（本願請求項の「第１計測データ」の一例である）の解析のみを行い、他の介護施設からの計測データ、例えば、介護施設３２からの計測データ（本願請求項の「第２計測データ」の一例である）の解析を行わない。他のデータ解析部４５２、・・・も同様である。結果として、サーバ９は、全体の計算負荷は変わらなくとも高速な解析を実施することが可能となる。
【００４９】
健康管理システム１による健康状態判定結果は、介護従事者や被介護者の家族がスマートフォン、タブレット端末、パソコン等でモニタリング可能である。以下、図６から図８を参照して、健康管理システム１の解析結果の表示方法について述べる。図６は、本実施例に係る健康管理システム１による判定結果を表示する管理者用一覧画面の一例を示す図である。図７は、本実施例に係る健康管理システム１による判定結果を表示する管理者用個別画面の一例を示す図である。図８は、本実施例に係る健康管理システム１による判定結果を表示する個人利用者用画面の一例を示す図である。
【００５０】
まず、図６（ａ）を参照して、管理者用電子端末１１の表示部７３は、部屋ごとの解析結果１０１を「正常」「注意」「警告」といった複数段階に分けて一覧表示する。ここで、図６（ａ）において「警告」と表示されている「１０４号室」を選択すると、図６（ｂ）に示すように、１０４号室内の複数の被介護者の情報１０３が一覧表示される。被介護者の情報１０３には、呼吸や脈拍に関する情報が含まれる。図６（ｂ）では、一部の被介護者について、呼吸・脈拍共に０と表示されると共に、「徘徊している可能性があります」と表示されている。
【００５１】
さらに、図７を参照して、被介護者の詳細な情報の表示について述べる。図７（ａ）に示すように、管理者用電子端末１１は、被介護者の在／不在についてのイラスト表示１０５、脈拍の解析結果１０７、呼吸の解析結果１０９、履歴ボタン１１１、離床ボタン１１３、入床ボタン１１５、アラーム停止ボタン１１７、睡眠の経時変化グラフ１１９、睡眠クオリティ１２１、呼吸イベント１２３、ゆらぎ健康度１２５を表示する。また、被介護者が不在の場合は、図７（ｂ）に示すように、離床ボタン１１３から離床理由選択表示１２７を表示させて、いずれかの離床理由選択肢１２９を選択することも可能である。
【００５２】
図８を参照して、利用者用電子端末１３の表示部８７は、管理者用電子端末１１の表示部７３と異なり、離床ボタン１１３、入床ボタン１１５及びアラーム停止ボタン１１７の代わりに管理者コメント１３３を表示する。この違いは、離床／入床の対応やアラーム停止が主に管理者の業務であるためである。
【００５３】
なお、サーバは、１つのサーバでなくともよい。例えば、受信処理サーバ及び解析処理サーバに分けて構成してもよいし、その他のサーバを加えてサーバ群として構成してもよい。
【００５４】
また、図３において、ステップＳＴ００３〜ＳＴ０１１は、順番が前後してもよい。
【００５５】
さらに、管理者用電子端末や利用者用電子端末がサーバにアクセスして解析結果を各端末に表示するとしたが、解析結果を各端末に送信するものであってもよい。
【００５６】
さらに、利用者用電子端末に表示される管理者コメントは、管理者用電子端末からサーバに送信されたものでもよいし、あらかじめサーバ内に記憶された解析結果に対応するコメントであってもよい。
【００５７】
さらに、図４や図５のフローにおいて、最初の測定開始時には、ノイズ除去のために長い計測を行ってもよい。例えば、離床判定について、最初の測定開始時に約７分かけて約５万点の計測データに基づいて計測を行ってもよい。この最初の７分の計測により、体動関連の信号におけるノイズを除去し、その後は１５秒間隔で離床判定が可能となる。
【００５８】
さらに図５のフローにおいて、サーバ送信部は、睡眠クオリティの解析結果を待たずに心拍数、呼吸数又は体動数といった生体情報のみを管理者用電子端末や利用者用電子端末に送信してもよい。
【符号の説明】
【００５９】
１・・・健康管理システム、３・・・介護施設、５・・・計測装置、７・・・ルータ、９・・・サーバ、１１・・・管理者用電子端末、１３・・・利用者用電子端末、１５・・・計測部、１７・・・制御部、１９・・・計測通信部、２１・・・サーバアドレス記憶部、２３・・・ログイン情報記憶部、２５・・・計測データ記憶部、２７・・・特定番号記憶部、４１・・・サーバ通信部、４３・・・特定番号判別部、４５・・・データ解析部、４６・・・信号分離部、４８・・・睡眠ステージ判定部、５０・・・離床判定部、５１・・・対応情報記憶部、５２・・・生体情報解析部、５３・・・計測データ記憶部、５４・・・健康状態判定部、５５・・・解析結果記憶部、７１・・・端末通信部、７３・・・表示部、７５・・・管理者表示制御部、７７・・・一覧表示制御部、７９・・・離床情報表示制御部、８１・・・離床理由表示制御部、８３・・・健康情報表示制御部、８５・・・端末通信部、８７・・・表示部、８９・・・利用者表示制御部、９１・・・離床情報表示制御部、９３・・・コメント表示制御部、９５・・・健康情報表示制御部
【図１】
2017194795.tif 000003
【図２】
2017194795.tif 000004
【図３】
2017194795.tif 000005
【図４】
2017194795.tif 000006
【図５】
2017194795.tif 000007
【図６】
2017194795.tif 000008
【図７】
2017194795.tif 000009
【図８】
2017194795.tif 000010
【図９】
2017194795.tif 000011